【手続補正書】
【提出日】平成25年1月4日(2013.1.4)
【手続補正１】
【補正対象書類名】特許請求の範囲
【補正対象項目名】全文
【補正方法】変更
【補正の内容】
【特許請求の範囲】
【請求項１】
集合搬送波について搬送波固有のパワーヘッドルームを報告するための方法であって、
サブフレームｉにおいて物理アップリンク共有チャネル（ＰＵＳＣＨ）送信を有する複数の集合搬送波から第１の搬送波を判定するステップと、
サブフレームｉにおいてＰＵＳＣＨ送信を有さない複数の集合搬送波から第２の搬送波を判定するステップと、
【数１】
2012510785.tif 000001
式１にしたがって、第１のパワーヘッドルームを計算するステップであって、前記式１において、ｋ1は前記第１の搬送波であり、ＰPUSCH_UG（ｋ1，ｉ）は最大電力制限を課す前のサブフレームｉにおける前記第１の搬送波についての送信電力である、ステップと、
【数２】
2012510785.tif 000002
式２にしたがって、前記第２の搬送波についての第２のパワーヘッドルームを計算するステップであって、前記式２において、ｋ2は前記第２の搬送波であり、ＰPUSCH_REF（ｋ2，ｉ）は基準グラント割り当てにしたがって判定される送信電力であるステップと
を備えることを特徴とする方法。
【請求項２】
集合搬送波について搬送波固有のパワーヘッドルームを報告するための方法であって、
【数３】
2012510785.tif 000003
式３において、ＢＷkは搬送波ｋについての帯域幅であり、Ｋは搬送波の最大数であり、ＰCMAXは総最大送信電力であり、前記式３が、無線送信／無線ユニットの電力増幅器全てにわたる全てのサブバンドまたは搬送波に使用されることを特徴とする請求項１に記載の方法。
【請求項３】
全ての搬送波ｋについてのＰCMAX_carrier（ｋ）の和が
【数４】
2012510785.tif 000004
式４になるように、ＰCMAXによって制限されることを特徴とする請求項２に記載の方法。
【請求項４】
集合搬送波について搬送波固有のパワーヘッドルームを報告するための方法であって、
【数５】
2012510785.tif 000005
式５において、ＢＷkは搬送波ｋについての帯域幅であり、Ωはアクティブ搬送波の集合であり、ＰCMAXは総最大送信電力であり、前記式５はサブフレームｉにおいて、無線送信／受信ユニットの電力増幅器全てにわたる全てのサブバンドまたは搬送波について、搬送波ｉにおいてアクティブグラントを有する搬送波のサブセットに使用されることを特徴とする請求項１に記載の方法。
【請求項５】
Ωにおける全ての搬送波ｋについてのＰCMAX_career（ｋ）の和が、
【数６】
2012510785.tif 000006
式６になるように、ＰCMAXによって制限されることを特徴とする請求項４に記載の方法。
【請求項６】
集合搬送波について搬送波固有のパワーヘッドルームを報告するための方法であって、
【数７】
2012510785.tif 000007
式７において、ＢＷkは搬送波ｋについての帯域幅であり、Ωmは搬送波グループｍの搬送波の集合であり、ＰCMAX（ｍ）は搬送波グループｍについての最大送信電力であることを特徴とする請求項１に記載の方法。
【請求項７】
Ωmにおける全ての搬送波ｋについてのＰCMAX_career（ｋ）の和が、
【数８】
2012510785.tif 000008
式８になるように、ＰCMAX（ｍ）によって制限されることを特徴とする請求項６に記載の方法。
【請求項８】
集合搬送波について搬送波固有のパワーヘッドルームを報告するための方法であって、
【数９】
2012510785.tif 000009
式９において、ＢＷkは搬送波ｋについての帯域幅であり、Ωmは搬送波グループｍの搬送波の集合であり、ＰCMAX（ｍ）は搬送波グループｍについての最大送信電力であることを特徴とする請求項１に記載の方法。
【請求項９】
Ωmにおける全ての搬送波ｋについてのＰCMAX_career（ｋ）の和が、
【数１０】
2012510785.tif 000010
式１０になるように、ＰCMAX（ｍ）によって制限されることを特徴とする請求項８に記載の方法。
【請求項１０】
前記第１のパワーヘッドルームおよび前記第２のパワーヘッドルームを報告するステップをさらに備えることを特徴とする請求項１に記載の方法。
【請求項１１】
ＰPUSCH_UG（ｋ1，ｉ）は、
【数１１】
2012510785.tif 000011
式１１にしたがって、ｋ搬送波について定義されることを特徴とする請求項１に記載の方法。
【請求項１２】
ＰCMAX_career（ｋ）は、前記ｋ搬送波の最大ＷＴＲＵ送信電力であることを特徴とする請求項１１に記載の方法。
【請求項１３】
ＰCMAX_career（ｋ2）およびＰCMAX_career（ｋ1）の和は、前記複数の集合搬送波についてのＰCMAX以下であることを特徴とする請求項１に記載の方法。
【請求項１４】
サブフレームｉにおいてＰＵＳＣＨ送信を有さない第３の搬送波を判定するステップをさらに備えることを特徴とする請求項１に記載の方法。
【請求項１５】
【数１２】
2012510785.tif 000012
式１２にしたがって、前記第３の搬送波についての第３のパワーヘッドルームを計算するステップをさらに備え、前記式１２において、ｋ3は前記第３の搬送波であり、ＰPUSCH_REF（ｋ3，ｉ）は基準グラント割り当てにしたがって判定される送信電力であることを特徴とする請求項１４に記載の方法。
【請求項１６】
前記第１のパワーヘッドルーム、前記第２のパワーヘッドルーム、および前記第３のパワーヘッドルームを報告するステップをさらに備えることを特徴とする請求項１５に記載の方法。
【請求項１７】
搬送波固有のパワーヘッドルームを報告するための方法であって、
搬送波あたりの最大電力ＰCMAX_careerを計算するステップと、
前記搬送波が有効なアップリンクグラントを有していないという条件で、
ＰＨ（ｋ，ｉ）＝ＰCMAX_career（ｋ）−ＰPUCSH_REF（ｋ，ｉ）（式１３）
にしたがって、基準グラントを使用してパワーヘッドルームを計算するステップであって、
前記式１３において、ｋは搬送波番号であり、ｉは前記パワーヘッドルームが報告されることになるサブフレームであり、ＰPUSCH_REF（ｋ，ｉ）は、
ＰPUSCH_REF（ｋ，ｉ）＝Ｆ1_REF（ＰPUSCH_REF（ｎ，ｉ））＋α×（ＰＬ（ｋ）−ｆ2_REF（ＰＬ（ｎ）））（式１４）
として定義され、
ｆ1_REF（＊）は基準搬送波固有の無線送信／受信ユニット送信電力の関数であり、Ｎ≠ｋであり、搬送波ｎは有効なアップリンクグラントを有する搬送波に集合に属し、αはセル固有のパラメータであり、ＰＬ（ｋ）は搬送波ｋ上のパスロス（伝搬損失）推定値であり、ｆ2_REF（＊）は基準搬送波固有のパスロスの関数である、ステップと、
前記計算されたパワーヘッドルームを報告するステップと
を備えることを特徴とする方法。
【請求項１８】
搬送波あたりの前記最大電力を計算するステップは、
【数１３】
2012510785.tif 000013
式１５に基づいており、前記式１５において、ＢＷkは搬送波ｋについての帯域幅であり、Ｋは搬送波の最大数であり、ＰCMAXは総最大送信電力であり、前記式１５は、無線送信／受信ユニットの電力増幅器全てにわたる全てのサブバンドまたは搬送波に使用されることを特徴とする請求項１７に記載の方法。
【請求項１９】
全ての搬送波ｋについてのＰＣMAX_career（ｋ）の和が、
【数１４】
2012510785.tif 000014
式１６になるように、ＰCMAXによって制限されることを特徴とする請求項１８に記載の方法。
【請求項２０】
搬送波あたりの前記最大電力を計算するステップは、
【数１５】
2012510785.tif 000015
式１７に基づいており、前記式１７において、ＢＷkは搬送波ｋについての帯域幅であり、Ωはアクティブ搬送波の集合であり、ＰCMAXは総最大送信電力であり、前記式１７はサブフレームｉにおいて、無線送信／受信ユニットの電力増幅器全てにわたる全てのサブバンドまたは搬送波について、搬送波ｉにおいてアクティブグラントを有する搬送波のサブセットに使用されることを特徴とする請求項１７に記載の方法。
【請求項２１】
Ωにおける全ての搬送波ｋについてのＰCMAX_career（ｋ）の和が、
【数１６】
2012510785.tif 000016
式１８になるように、ＰCMAXによって制限されることを特徴とする請求項２０に記載の方法。
【請求項２２】
搬送波あたりの前記最大電力を計算するステップは、
【数１７】
2012510785.tif 000017
式１９に基づいており、前記式１９において、ＢＷkは搬送波ｋについての帯域幅であり、Ωmは搬送波グループｍの搬送波の集合であり、ＰCMAX（ｍ）は搬送波グループｍについての最大送信電力であることを特徴とする請求項１７に記載の方法。
【請求項２３】
Ωmにおける全ての搬送波ｋについてのＰCMAX_career（ｋ）の和が、
【数１８】
2012510785.tif 000018
式２０になるように、ＰCMAX（ｍ）によって制限されることを特徴とする請求項２２に記載の方法。
【請求項２４】
搬送波グループ固有のパワーヘッドルームを報告するための方法であって、
搬送波あたりの最大電力ＰCMAX_career（ｋ）を計算するステップと、
前記搬送波グループにおける少なくとも１つの搬送波が有効なアップリンクグラントを有しているという条件で、
【数１９】
2012510785.tif 000019
式２１にしたがって、グループパワーヘッドルームを計算するステップであって、前記式２１において、ｍは搬送波グループ番号であり、ｉは前記搬送波グループにおける少なくとも１つの搬送波が有効なアップリンクグラントを有するサブフレーム番号であり、Ωmは搬送波グループｍの搬送波の集合であり、ＰPUSCH_UG（ｋ，ｉ）は、最大電力制限を課す前のサブフレームｉにおける搬送波ｋについての送信電力である、ステップと、
前記計算されたパワーヘッドルームを報告するステップと
を備えることを特徴とする方法。
【請求項２５】
搬送波あたりの前記最大電力を計算するステップは、
【数２０】
2012510785.tif 000020
式２２に基づいており、前記式２２において、ＢＷkは搬送波ｋについての帯域幅であり、Ｋは搬送波の最大数であり、ＰCMAXは総最大送信電力であり、前記式２２は、無線送信／受信ユニットの電力増幅器全てにわたる全てのサブバンドまたは搬送波に使用されることを特徴とする請求項２４に記載の方法。
【請求項２６】
Ωにおける全ての搬送波ｋについての前記ＰCMAX_career（ｋ）の和が、
【数２１】
2012510785.tif 000021
式２３になるように、ＰCMAXによって制限されることを特徴とする請求項２５に記載の方法。
【請求項２７】
搬送波あたりの前記最大電力を計算するステップは、
【数２２】
2012510785.tif 000022
式２４に基づいており、前記式２４において、ＢＷkは搬送波ｋについての帯域幅であり、Ωはアクティブ搬送波の集合であり、ＰCMAXは総最大送信電力であり、前記式２４は、無線送信／受信ユニットの電力増幅器全てにわたる搬送波のサブセットに使用されることを特徴とする請求項２４に記載の方法。
【請求項２８】
Ωにおける全ての搬送波ｋについてのＰCMAX_career（ｋ）の和が、
【数２３】
2012510785.tif 000023
式２５になるように、ＰCMAXによって制限されることを特徴とする請求項２７に記載の方法。
【請求項２９】
搬送波グループ固有のパワーヘッドルームを報告するための方法であって、
搬送波あたりの最大電力ＰCMAX_career（ｋ）を計算するステップと、
前記搬送波グループにおいて有効なアップリンクグラントを有する搬送波がないという条件で、
【数２４】
2012510785.tif 000024
式２６にしたがって、基準グラントを使用してグループパワーヘッドルームを計算するステップであって、
前記式２６において、ｍは搬送波グループ番号であり、ｉは前記パワーヘッドルームが報告されることになるサブフレーム番号であり、Ωmは搬送波グループｍの搬送波の集合であり、ＰPUSCH_REF（ｋ，ｉ）は、
【数２５】
2012510785.tif 000025
式２７として定義され、
ｆ1_REF（＊）は基準搬送波固有のＷＴＲＵ送信電力の関数であり、ｎ≠ｋであり、搬送波ｎは有効なアップリンクグラントを有する搬送波の集合に属し、ａはセル固有のパラメータであり、ＰＬ（ｋ）は搬送波ｋ上のパスロス推定値であり、ｆ2_REF（＊）は基準搬送波固有のパスロスの関数である、ステップと、
前記計算されたパワーヘッドルームを報告するステップと
を備えることを特徴とする方法。
【請求項３０】
搬送波あたりの前記最大電力を計算するステップは、
【数２６】
2012510785.tif 000026
式２８に基づいており、前記式２８において、ＢＷkは搬送波ｋについての帯域幅であり、Ｋは搬送波の最大数であり、ＰCMAXは総最大送信電力であり、前記式２８は、無線送信／受信ユニットの電力増幅器全てにわたる全てのサブバンドまたは搬送波に使用されることを特徴とする請求項２９に記載の方法。
【請求項３１】
Ωにおける全ての搬送波ｋについてのＰCMAX_career（ｋ）の和が、
【数２７】
2012510785.tif 000027
式２９になるように、ＰCMAXによって制限されることを特徴とする請求項３０に記載の方法。
【請求項３２】
搬送波あたりの前記最大電力を計算するステップは、
【数２８】
2012510785.tif 000028
式３０に基づいており、前記式３０において、ＢＷkは搬送波ｋについての帯域幅であり、Ωはアクティブ搬送波の集合であり、ＰCMAXは総最大送信電力であり、前記式３０は、無線送信／受信ユニットの電力増幅器全てにわたる全てのサブバンドまたは搬送波について、搬送波ｉにおいてアクティブグラントを有する搬送波のサブセットに使用されることを特徴とする請求項２９に記載の方法。
【請求項３３】
Ωにおける全ての搬送波ｋについてのＰCMAX_career（ｋ）の和が、
【数２９】
2012510785.tif 000029
式３１になるように、ＰCMAXによって制限されることを特徴とする請求項３２に記載の方法。
【請求項３４】
搬送波グループ固有のパワーヘッドルームを報告するための方法であって、
前記搬送波グループにおける少なくとも１つの搬送波が有効なアップリンクグラントを有するという条件で、
【数３０】
2012510785.tif 000030
式３２にしたがって、グループパワーヘッドルームを計算するステップであって、前記式３２において、ｍは搬送波グループ番号であり、ｉは前記搬送波グループにおける少なくとも１つの搬送波が有効なアップリンクグラントを有するサブフレームであり、Ωmは搬送波グループｍの搬送波の集合であり、ＰCMAX（ｍ）は搬送波グループｍについての構成された最大許容無線送信／受信ユニット（ＷＴＲＵ）送信電力であり、ＰPUSCH_UG（ｋ，ｉ）は、最大電力制限を課す前のサブフレームｉにおける搬送波ｋについての送信電力である、ステップと、
前記計算されたパワーヘッドルームを報告するステップと
を備えることを特徴とする方法。
【請求項３５】
搬送波グループ固有のパワーヘッドルームを報告するための方法であって、
前記搬送波グループにおいて有効なアップリンクグラントを有する搬送波がないことを条件に、
【数３１】
2012510785.tif 000031
式３３にしたがって、基準グラントを使用してグループパワーヘッドルームを計算するステップであって、前記式３３において、ｍは搬送波グループ番号であり、ｉは前記パワーヘッドルームが報告されることになるサブフレーム番号であり、Ωmは搬送波グループｍの搬送波の集合であり、ＰCMAX（ｍ）は搬送波グループｍについての構成された最大許容無線送信／受信ユニット（ＷＴＲＵ）送信電力であり、ＰPUSCH_REF（ｋ，ｉ）は、
【数３２】
2012510785.tif 000032
式３４として定義され、ｆ1_REF（＊）は基準搬送波固有のＷＴＲＵ送信電力の関数であり、ｎ≠ｋであり、搬送波ｎは有効なアップリンクグラントを有する搬送波の集合に属し、ａはセル固有のパラメータであり、ＰＬ（ｋ）は搬送波ｋ上のパスロス推定値であり、ｆ2_REF（＊）は基準搬送波固有のパスロスの関数である、ステップと、
前記計算されたパワーヘッドルームを報告するステップと
を備えることを特徴とする方法。
【請求項３６】
集合搬送波についての搬送波固有のパワーヘッドルームを報告するための方法であって、
第１の搬送波についての第１の最大電力を判定するステップと、
前記第１の搬送波に対応する第１の送信電力を判定するステップと、
前記第１の搬送波についての第１のパワーヘッドルームを計算するステップと、
サブフレームｉにおいて物理アップリンク共有チャネル（ＰＵＳＣＨ）を有しない複数の集合搬送波から第２の搬送波についての第２の最大電力を判定するステップと、
基準グラントを使用して前記第２の搬送波についての第２のパワーヘッドルームを計算するステップと、
前記計算された第１および第２のパワーヘッドルームを報告するステップと
を備えることを特徴とする方法。
【請求項３７】
前記第１の搬送波は有効なアップリンクグラントを有し、前記第１の送信電力は最大電力制限を課す前の前記第１の搬送波についての送信電力を備えることを特徴とする請求項３６に記載の方法。
【請求項３８】
前記第２の搬送波は有効なアップリンクグラントを有し、前記第２の送信電力は基準送信電力を備えることを特徴とする請求項３６に記載の方法。
【請求項３９】
前記第２の搬送波上のパスロス推定値、有効なアップリンクグラントを有する少なくとも１つの搬送波上のパスロス、および有効なアップリンクグラントを有する少なくとも１つの搬送波についての送信電力に基づいて、前記基準送信電力を計算するステップをさらに備えることを特徴とする請求項３８に記載の方法。
【請求項４０】
所定の値参照を使用して前記基準送信電力を計算するステップをさらに備えることを特徴とする請求項３８に記載の方法。
【請求項４１】
有効なアップリンクグラントを有する少なくとも１つの搬送波の少なくとも１つのパラメータを使用して、前記基準送信電力を計算するステップをさらに備えることを特徴とする請求項３８に記載の方法。
【請求項４２】
前記第１の搬送波についての前記第１の最大電力は、より上位のレイヤ構成によって事前定義されることを特徴とする請求項３６に記載の方法。
【請求項４３】
前記第１のパワーヘッドルームを計算するステップは、前記第１の最大電力と前記第１の送信電力との間の差を判定するステップを備えることを特徴とする請求項３６に記載の方法。
【請求項４４】
前記第２のパワーヘッドルームを計算するステップは、前記第２の最大電力と前記第２の送信電力との間の差を判定するステップを備えることを特徴とする請求項３６に記載の方法。